(57)【特許請求の範囲】
【請求項１】
パチンコ球を貯留する皿部材と、該皿部材を支持する支持枠部材とからなり、前記支持枠部材には開口が形成されていて、前記皿部材は前記支持枠部材の開口を覆うように設けられていると共に付勢部材を介して該支持枠部材に対し移動自在に設けられ、常態においては前記皿部材が前記付勢部材に付勢されて前記支持枠部材の開口を閉塞し、他方、前記皿部材を前記付勢部材の付勢に抗して移動させると前記支持枠部材の開口が開成するようにしたパチンコ機の球受皿であって、
前記皿部材の下面には係止部が設けられていると共に、前記支持枠部材には前記皿部材が移動して前記開口が開成される位置で前記皿部材の係止部が係止する被係止部を設け、
前記皿部材は前記支持枠部材の開口の開成時に該皿部材内にパチンコ球が存在するときは該パチンコ球の球重量によって下傾して該皿部材の係止部が該支持枠部材の被係止部に係止され、前記皿部材のパチンコ球が前記支持枠部材の開口から流出して該皿部材が球重量から解放されると該皿部材の係止部と該支持枠部材の被係止部との係止が解除されて該皿部材が該支持枠部材の開口を閉じる位置に自動復帰するようにしたことを特徴とするパチンコ機の球受皿。
【発明の詳細な説明】
【０００１】
【発明の属する技術分野】
本発明は、パチンコ球を貯留するパチンコ機の球受皿に関し、特に皿部材を移動自在に設けたパチンコ機の球受皿に関するものである。
【０００２】
【従来の技術】
従来、球皿部を移動自在に設け、球皿部を移動させることにより開成される落し口からパチンコ球を抜き取るようにした球受皿は知られている（例えば特開平１０−１６５６０３号公報参照）が、球抜きが終るまで球皿部を持ち続けなければならなかった。また、球抜き孔を閉塞する開閉板を係止部材によって球抜き位置に係止し、押圧部材の押圧によってその係止を解除するようにした球受皿は知られている（例えば特公平３−５３９５４号公報参照）。
【０００３】
【発明が解決しようとする課題】
しかしながら、開閉板を係止部材によって球抜き位置に係止する従来の球受皿は、開閉板を球抜き位置に係止するために多くの部品を必要として構造が複雑となり、組立に手間が掛かってコスト高になるという問題があった。また、皿部にパチンコ球がない状態でも開閉板を摺動させると球抜き位置に係止保持してしまい、開閉板の停止状態を解除するためには必ず係止解除操作をしなければならなかった。このため、球受皿のパチンコ球の球抜きが終わっても解除操作をするのを忘れて、球受皿が球抜き状態に置かれたままとなり、次の遊技者に迷惑を及ぼしたり店員がいちいち解除操作をしなければならないという問題があった。
【０００４】
本発明は、従来の技術の有するこのような問題点に鑑みてなされたものであり、簡単な構造で、皿部材を球抜き状態に停止保持させることができるようにし、さらに球受皿のパチンコ球が抜き取られると自動的に停止状態を解除して、球抜き解除位置に復帰させることができるパチンコ機の球受皿を提供することを目的とするものである。
【０００５】
【課題を解決するための手段】
上記目的を達成するために、本発明は、パチンコ球を貯留する皿部材と、該皿部材を支持する支持枠部材とからなるパチンコ機の球受皿において、前記皿部材を付勢部材を介して支持枠部材に移動自在に設けると共に、皿部材を移動することによりパチンコ球が落下する球落下口を開成し、該皿部材を球落下口が開成した位置に係止保持するようにした。
【０００６】
また、前記皿部材に係止部を設け、支持枠部材に球落下口を開成する位置で前記係止部が係止する被係止部を設けるのがよい。
【０００７】
さらに、前記皿部材を球重量により係止保持するようにするのがよい。
【０００８】
また、前記球重量により係止保持するようにした皿部材を球重量から解放されると係止を解除し、該皿部材を球落下口を閉塞する位置に自動復帰させるようにするのがよい。
【０００９】
前記した本発明によれば、皿部材にパチンコ球が貯留されている状態で皿部材を付勢部材の付勢に抗して球落下口を開成する位置に移動させると、皿部材のパチンコ球の球重量によって球落下口を開成する位置に停止保持する。また、球落下口から球が抜けて、皿部のパチンコ球の球重量から解放されると停止状態が自動的に解除され、皿部材を球落下口を閉塞する位置に自動復帰させる。
【００１０】
なお、本発明のパチンコ機における球受皿は、パチンコ機の前面枠の前面に設けられる打球供給用の上部球受皿または上部球受皿の余剰球を貯留する下部球受皿のいずれにも適用可能である。
【００１１】
また、本発明の球受皿は、皿部材を前後方向または左右方向に摺動自在に設けられたもの、あるいは回動自在に設けられたものにも適用可能である。
【００１２】
【発明の実施の形態】
以下に本発明の実施の形態を図面と共に説明する。図１はパチンコ機の正面図、図２は下部球受皿の斜視図、図３は下部球受皿の分解斜視図である。パチンコ機１の前面に額縁状の前面枠２が開閉自在に設けられ、該前面枠２にガラス扉枠３と前面板４が装着される。そして、ガラス扉枠３の後側には遊技盤５が設けられ、前記前面板４の前面に上部球受皿６が取付けられる。また、前面枠２の下方部前面には上部球受皿６の余剰球を貯留する下部球受皿７が装着されている。８は余剰球の球出口であり、該球出口８には筒状のガイド部材９が取着けられている。
【００１３】
下部球受皿７は、図２および図３に示すように多量のパチンコ球を貯留する皿部材１０と該皿部材１０を支持し、外周を囲う支持枠部材１１とにより形成されている。該支持枠部材１１は、上部カバー体１１ａと下部カバー体１１ｂとで構成され、前記皿部材１０が上部カバー体１１ａと下部カバー体１１ｂとの間に、付勢部材としてのスプリング１２を介して移動自在に装着されている。１３は、上部カバー体１１ａと下部カバー体１１ｂとの間に装着される灰皿である。
【００１４】
皿部材１０は、後方が開放しており、底壁１４は後方に向って下傾している。そして、底壁１４の下面には皿部材１０を球抜き状態に停止維持する係止部１５を形成している。該係止部１５は、図６に示すようにテーパー面を有する三角形状をしている。また、前側壁１０ａの上縁に帯状のガイド片１６が延設され、その上部に操作部１７が設けられている。１８は、前側壁１０ａに設けられたスプリング１２の一端が収納される収納部である。
【００１５】
また、上部カバー体１１ａには前記ガイド片１６が摺動するガイド溝１９が形成され、その中央に指掛け部２０が凹状に形成される。また、上部カバー体１１ａの後方下部には、前記皿部材１０の後端が下方に位置する帯状板部２１が形成される。一方、下部カバー体１１ｂには大きく切欠き形成された開口２２が設けられると共に、前記係止部１５が係合する被係止部としての段部２３と、該段部２３を介して前記スプリング１２の他端を嵌めるボス２４が形成される。２５はスプリング１２の下動規制部である。
【００１６】
上記のように構成される下部球受皿７は、図４に示すように支持枠部材１１に内装したスプリング１２の付勢により、常に皿部材１０の後端が帯状板部２１の下方に臨んでおり、操作部１７を手で操作することによって皿部材１０を移動し得るようになっている。そして、スプリング１２の付勢に抗して皿部材１０を移動すると、図５に示すように皿部材１０の底壁１４端縁と帯状板部２１との間に、複数のパチンコ球が落下する球落下口２６が開成され球抜き可能な状態になる。そして、球落下口２６が開成される位置で皿部材１０のパチンコ球の球重量によって皿部材１０が下動し、係止部１５と段部２３が係合し、皿部材１０を球落下口２６が開成した状態で停止保持するようにしている。また、帯状板部２１が有ることにより、下部球受皿７の下方に置かれる球箱の鍔部にパチンコ球が当らず球箱に均等に落下する。
【００１７】
次に図面を参照して球受皿の球抜きの作用を説明する。通常皿部材１０は図４および図６（ａ）に示すようにスプリング１２の付勢により球落下口２６を閉塞している。この状態で操作部１７に指を掛けて皿部材１０をスプリング１２の付勢に抗し、ガイド溝１９に沿って球抜きをする側（操作部１７の矢印方向）へ移動させると、球落下口２６を開成しながら一旦係止部１５のテーパー部により皿部材１０が上動し、テーパー部から外れると貯留されているパチンコ球の球重量により下動し、図６（ｂ）に示すように係止部１５が段部２３に係合し、操作部１７から手を離しても、図５に示すように皿部材１０は球落下口２６を開成する状態に停止保持されることになる。そして、皿部材１０に貯留されたパチンコ球は球落下口２６から開口２２を落下して抜き取られる。
【００１８】
そして、皿部材１０のパチンコ球が抜き取られた後、図６（ｂ）鎖線に示すように指掛け部２０に指先を挿入し、ガイド片１６を少し上方に持ち上げるだけで、係止部１５と段部２３との係合が外れ、スプリング１２の付勢力により、皿部材１０が、図４に示す球落下口２６を閉塞する位置に復動することになる。
【００１９】
また、例えば球落下口２６が開成して球抜き可能な状態になったとき、係止部１５が段部２３に係止しないように係止部１５および段部２３の相互位置関係を設定することにより、皿部材１０がロックすることなく皿部材１０に貯留されるパチンコ球を少量ずつ球抜きしながら遊技を行うことができ、遊技者にとって好都合となる。また、図７および図８に示すように帯状板部２１の代りに前記筒状のガイド部材９に球受け板部２７を一体に形成してもよい。なお、万一何らかのトラブルにより球落下口２６の開成状態が保持できなくなっても、何の支障もなく球抜きすることが可能である。
【００２０】
図９および図１０は、操作部１７をなくして、皿部材１０が支持枠部材１１内に入り込むようにした実施の形態を示し、皿部材１０の前側壁１０ａに波状の指掛け部２８を形成し、図１０（ａ）鎖線に示すように指掛け部２８に指を掛け、図１０（ｂ）に示すように皿部材１０を支持枠部材１１内に入り込むように移動することで球落下口２６を開成する位置に停止保持することができる。また、被係止部を段部２３の代りに図１１に示すように、下部カバー体１１ｂに係止孔２９を設けるようにしてもよく、皿部材１０を移動させることにより、図１１（ｂ）に示すように球落下口２６を開成した位置で、球重量により下動し係止部１５が係止孔２９に嵌まり、球抜き状態に停止保持される。
【００２１】
次に、球抜き終了後に皿部材１０が自動復帰するようにした実施の形態を示す。この実施の形態が前記実施の形態と異なるところは主として係止部１５の形状であるため、前記実施の形態と同じ構造のものには同一符号を付して説明する。図１２に示すように、係止部１５の係合面を係合が外れ易いアール形状としている。通常皿部材１０は、図１２（ａ）に示すようにスプリング１２の付勢により球落下口２６を閉塞する位置にいる。この状態で操作部１７に指を掛けて皿部材１０をスプリング１２の付勢に抗し、ガイド溝１９に沿って球抜きをする側（操作部１７の矢印方向）へ移動させると、球落下口２６を開成しながら一旦係止部１５のテーパー部により皿部材１０が上動し、テーパー部から外れると貯留されているパチンコ球の球重量により下動し、図１２（ｂ）に示すように係止部１５が段部２３に係合し、球重量によりその係合を保持し続け、操作部１７から手を離しても、皿部材１０は球落下口２６を開成する状態に停止保持されることになる。そして、皿部材１０に貯留されたパチンコ球は球落下口２６から開口２２を落下して抜き取られる。
【００２２】
そして、皿部材１０のパチンコ球が抜き取られて、パチンコ球の球重量が減少すると、スプリング１２の付勢力により、係止部１５が段部２３から外れ皿部材１０の係合が解除され、皿部材１０が球落下口２６を閉塞する位置に自動的に復動することになる。
【００２３】
また、パチンコ球が球落下口２６からすべて落下するよりも先に球落下口２６が閉塞して、皿部材１０内にパチンコ球が残った場合には、再度皿部材１０を開方向に移動すれば、皿部材１０はロックすることなく残ったパチンコ球を確実に球落下口２６から抜き取ることができる。なお、係止部１５を係合が外れ易い形状にするかわりに、例えば被係止部としての段部２３を図１３に示すように面取りするようにして、係合が外れ易いようにしてもよい。また、前記説明した図９および図１１に示した実施の形態でも係止部１５または被係止部の段部２３および係止孔２９を係合が外れ易い形状にすることで自動復帰できるようにすることができる。
【００２４】
また、図１４ないし図１６に示すように、皿部材１０を横方向に移動するようにしてもよく、スプリング１２を介して支持枠部材１１に横方向に移動自在に装着された皿部材１０の底壁１４下面に係止部１５を設け、下部カバー体１１ｂに球落下口２６を開成する位置で前記係止部１５が係合する被係止部としての係合突起３０を設ければよく、図１４および図１６（ａ）に示す状態から皿部材１０をスプリング１２の付勢に抗し、球落下口２６を開成する側（操作部１７の矢印方向）へ移動させると、パチンコ球の球重量により係止部１５が図１６（ｂ）に示すように係合突起３０に係合し、操作部１７から手を離しても、図１５に示すように皿部材１０が球落下口２６を開成する状態に停止保持される。
【００２５】
そして、皿部材１０のパチンコ球が球落下口２６から開口２２を落下して抜き取られて、パチンコ球の球重量が減少すると、スプリング１２の付勢力により、係止部１５が係合突起３０から外れ皿部材１０の係合が解除され、図１４に示すように、皿部材１０が球落下口２６を閉塞する位置に自動的に復動することになる。
【００２６】
また、図１７に示すように、皿部材１０を支軸３１を中心に回動させることにより球抜きをする構造のものでもよく、図１７実線に示す状態から同図鎖線に示す状態に皿部材１０を回動させることにより、球落下口２６が開成され、係止部１５と係合突起３０が係合し球抜き状態を停止保持する。
【００２７】
図１８ないし図２０は、さらに他の実施の形態を示し、皿部材１０の両側壁１０ｂ，１０ｂに支持片３２，３２を突設し、該支持片３２，３２を支持枠部材１１に形成したガイド溝３３，３３に移動自在に支持させるようにしたもので、常には図１８および図１９に示すように、皿部材１０の左右の取付片３４，３４に取付けたスプリング１２，１２によって、皿部材１０の底壁１４端縁が帯状板部２１の端縁に当接し、球落下口２６を閉塞している。この実施の形態では、ガイド溝３３，３３に傾斜段部３５，３５を形成し、該傾斜段部３５，３５に支持片３２，３２が係合するようにしている。このとき支持片３２，３２の係合面は、係合が外れ易いようにアール面としている。
【００２８】
次に球受皿のパチンコ球を抜き取る作用を説明する。まず、皿部材１０の指掛け部２８に指を掛け、スプリング１２の付勢に抗して前側に移動させる。これにより図１８および図１９鎖線に示すように、皿部材１０の端縁と帯状板部２１の端縁との間に球落下口２６が開成され、パチンコ球が落下し始める。そして皿部材１０は、支持片３２，３２が皿部材１０のパチンコ球の球重量により、図２０鎖線に示すようにガイド溝３３，３３の傾斜段部３５，３５のテーパー面に沿って下動し、支持片３２，３２と傾斜段部３５，３５とが係合する。そして皿部材１０から手を離しても球重量により支持片３２，３２と傾斜段部３５，３５との係合状態を維持し、皿部材１０が球抜き状態に停止保持される。
【００２９】
そして、開成した球落下口２６からパチンコ球が抜けて皿部材１０のパチンコ球がなくなると、スプリング１２の付勢力により皿部材が元の位置に自動復帰し、皿部材１０の底壁１４端縁が帯状板部２１の端縁と当接し球落下口２６を閉塞する。なお、スプリング１２の強さを調節することにより、皿部材１０の復動を調節することができる。
【００３０】
【発明の効果】
以上説明したことから明らかなように、本発明におけるパチンコ機の球受皿は、皿部材を移動自在に設け、簡単な構造で皿部材を球落下口の開成状態に保持でき、しかも皿部材の球重量を利用して球落下口を開成する位置に自動的に停止保持させるようにしたので、わざわざ停止操作をする必要がなくなる。
【００３１】
また、球重量から解放されると球落下口の開成状態を自動的に解除するようにしたものであるから、わざわざ停止解除操作をする必要がなくなり、いたずらや不注意によって球受皿を球抜き状態に放置されるような事態を確実に防止することができる。
【図面の簡単な説明】
【図１】パチンコ機の正面図である。
【図２】下部球受皿の斜視図である。
【図３】下部球受皿の分解斜視図である。
【図４】球落下口を閉塞した状態の下部球受皿の平面図である。
【図５】球落下口を開成した状態の下部球受皿の平面図である。
【図６】（ａ），（ｂ）は球抜きの作用説明図である。
【図７】他の実施の形態の下部球受皿の側断面図である。
【図８】（ａ），（ｂ）は図７の球抜きの作用説明図である。
【図９】他の実施の形態の下部球受皿の平面図である。
【図１０】（ａ），（ｂ）は図９の球受皿の球抜きの作用説明図である。
【図１１】（ａ），（ｂ）は被係止部を係止孔とした球抜きの作用説明図である。
【図１２】（ａ），（ｂ）は他の実施の形態の球受皿の球抜きの作用説明図である。
【図１３】係合状態を示す拡大断面図である。
【図１４】左右方向の摺動により球落下口を開閉する下部球受皿の平面図である。
【図１５】図１４の球落下口を開成した状態の平面図である。
【図１６】（ａ），（ｂ）は図１４の球受皿の球抜きの作用説明図である。
【図１７】皿部材の回動により球落下口を開閉する下部球受皿の平面図である。
【図１８】他の実施の形態の下部球受皿の平面図である。
【図１９】図１８の下部球受皿の側断面図である。
【図２０】図１８のガイド溝部を示す側断面図である。
【符号の説明】
６                上部球受皿
７                下部球受皿
１０              皿部材
１１              支持枠部材
１２              スプリング（付勢部材）
１５              係止部
２３              段部（被係止部）
２６              球落下口
２９              係止孔（被係止部）
３０              係合突起（被係止部）
３２              支持片（係止部）
３５              傾斜段部（被係止部）
【図１】
0004460670.tif 000002
【図２】
0004460670.tif 000003
【図３】
0004460670.tif 000004
【図４】
0004460670.tif 000005
【図５】
0004460670.tif 000006
【図６】
0004460670.tif 000007
【図７】
0004460670.tif 000008
【図８】
0004460670.tif 000009
【図９】
0004460670.tif 000010
【図１０】
0004460670.tif 000011
【図１１】
0004460670.tif 000012
【図１２】
0004460670.tif 000013
【図１３】
0004460670.tif 000014
【図１４】
0004460670.tif 000015
【図１５】
0004460670.tif 000016
【図１６】
0004460670.tif 000017
【図１７】
0004460670.tif 000018
【図１８】
0004460670.tif 000019
【図１９】
0004460670.tif 000020
【図２０】
0004460670.tif 000021